(57)【要約】【課題】ピックアップマイクを備えた弦楽器からこのピックアップマイクにより取り出される音を弦楽器本来の生音にできる限り近づけるようにする。【解決手段】共鳴箱１の内部において両端部をそれぞれこの共鳴箱１の側板１ｂに固定させて配される細長い支持体４と、支持体４と共鳴板２との間に配される振動吸収体５とを有している。支持体４は、共鳴板２の内面に向けられた側に突部４ｂを有しており、この突部４ｂを振動吸収体５に接しさせるようにして振動吸収体５を共鳴板２の内面に押しつけさせている。振動吸収体５の両端部５’、５’を共鳴箱１の側板１ｂの内面に接しさせないようにこの振動吸収体５を支持体４によって支持するようにしてある。【選択図】図２
2005084257.tif 000002
【特許請求の範囲】
【請求項１】
共鳴箱にピックアップマイクを備えた弦楽器であって、
共鳴箱の内部においてこの共鳴箱の側板に固定されて配される支持体と、
この支持体と共鳴板との間に配されると共に、共鳴板の内面の一部にのみ接する大きさを持った振動吸収体とを有していると共に、
支持体は、共鳴板の内面に向けられた側に、一又は二以上の突部を有しており、この突部を振動吸収体に接しさせるようにして振動吸収体を共鳴板の内面に押しつけさせており、
しかも、振動吸収体を共鳴箱の側板の内面に接しさせないようにこの振動吸収体を支持体によって支持するようにしてあることを特徴とする弦楽器。
【請求項２】
振動吸収体が、
一面を共鳴板の内面に接しさせたゴムやゴム状弾性を備えたプラスチック、フェルトなどの振動吸収材料よりなる板状振動吸収材と、
この板状振動吸収材の他面に一面を接しさせた補強板とから構成されていることを特徴とする請求項１記載の弦楽器。
【請求項３】
支持体の外面の全部又は一部が、振動吸収材料によって覆われていることを特徴とする請求項１又は請求項２記載の弦楽器。
【発明の詳細な説明】
【技術分野】
【０００１】
この発明は、共鳴箱を構成する共鳴板に弦を支持するブリッジ又は駒を備えており、この弦をはじいいたり、こすったりすることで音を出す楽器、すなわち、弦楽器の改良に関する。
【背景技術】
【０００２】
弦楽器にあっては、この弦楽器の音、つまり、弦をはじいたり、こすったりすることによって生じる振動を、電気的に出力させるために、ピックアップマイク（一般にピックアップと称される。）が取り付けられて使用される場合が少なくない。
【０００３】
かかるピックアップマイクは、一般に、弦楽器の共鳴箱を構成する共鳴板に取り付けられる。共鳴板の振動は、ピックアップマイクによって電気信号として出力され、アンプを介して増幅された音となる。（特許文献１参照）
【０００４】
しかるに、弦楽器からピックアップマイクによって取り出された音は、本来の音に比べて延びた音となる傾向がある。（エレキギターの音のように）こうしたことから、ピックアップマイクを備えた弦楽器からこのピックアップマイクにより取り出される音を弦楽器本来の生音にできる限り近づけるようにすることが望まれていた。
【特許文献１】実公平７−３１２７５号公報
【発明の開示】
【発明が解決しようとする課題】
【０００５】
この発明が解決しようとする主たる問題点は、ピックアップマイクを備えた弦楽器からこのピックアップマイクにより取り出される音を弦楽器本来の生音にできる限り近づけるようにする点にある。
【課題を解決するための手段】
【０００６】
前記問題点を解決するために、この発明にあっては弦楽器を以下の（１）〜（５）の構成を備えたものとした。
（１）共鳴箱にピックアップマイクを備えた弦楽器であって、
（２）共鳴箱の内部においてこの共鳴箱の側板に固定されて配される支持体と、
（３）この支持体と共鳴板との間に配されると共に、共鳴板の内面の一部にのみ接する大きさを持った振動吸収体とを有していると共に、
（４）支持体は、共鳴板の内面に向けられた側に、一又は二以上の突部を有しており、この突部を振動吸収体に接しさせるようにして振動吸収体を共鳴板の内面に押しつけさせており、
（５）しかも、振動吸収体を共鳴箱の側板の内面に接しさせないようにこの振動吸収体を支持体によって支持するようにしてある。
【０００７】
かかる構成によれば、共鳴板の振動を振動吸収体によって適度に吸収、つまり、減衰させることができる。すなわち、振動吸収体は、共鳴箱の内部において、共鳴板の内面の一部にのみ接する大きさを持つに過ぎないことから、共鳴板の振動を適度に減衰させる。また、支持体は共鳴箱の側板にその端部をもって固定されているが、振動吸収体に対してはその突部をもって接しており、しかも、振動吸収体は共鳴箱の側板の内面に接しないように支持されていることから、共鳴箱の側板側の振動は、支持体と振動吸収体とを介しては、共鳴板にできる限りフィードバックされないようになっている。これによりピックアップマイクを介して電気的に出力される音が必要以上に延びないようにすることができる。つまり、アコースティックギターであればアコスティックギター本来の音を、三味線であれば三味線本来の音を、ピックアップマイクを介して電気的に出力させることができる。支持体および振動吸収体は共鳴箱内に納められていることから、弦楽器の共鳴箱の外観に影響を与えることもない。
【０００８】
前記振動吸収体を、
一面を共鳴板の内面に接しさせたゴムやゴム状弾性を備えたプラスチック、フェルトなどの振動吸収材料よりなる板状振動吸収材と、
この板状振動吸収材の他面に一面を接しさせた補強板とから構成させるようにしておくこともできる。
【０００９】
このようにした場合、かかる補強板によってゴムやゴム状弾性を備えたプラスチック、フエルトなどの柔らかい材料から構成される板状振動吸収材の一面を共鳴板の内面にダレなく密着させることができ、この板状振動吸収材によって適切に共鳴板の振動を減衰させることができる。
【００１０】
前記支持体の外面の全部又は一部を、振動吸収材料によって覆わせるようにしておくこともできる。
【００１１】
このようにした場合、共鳴箱の側板から支持体に伝わる振動をこの支持体を覆う振動吸収材料によって吸収して共鳴板側にできる限りフィードバックされないようにすることができる。
【発明の効果】
【００１２】
この発明によれば、ピックアップマイクを備えた弦楽器からこのピックアップマイクにより取り出される音を弦楽器本来の生音にできる限り近づけるようにすることができる。
【発明を実施するための最良の形態】
【００１３】
以下、図１ないし図６に基づいて、この発明の典型的な実施の形態について説明する。
【００１４】
なお、ここで図１ないし図３は、この発明をギターＳ１に適用した例を示しており、また、図４ないし図６は、この発明を三味線Ｓ２に適用した例を示している。なお、図１においてはギターＳ１のネックの基部以外を、図４においては三味線Ｓ２の棹の基部以外を、それぞれ省略して表している。
【００１５】
この実施の形態にかかる弦楽器Ｓは、共鳴箱１を構成する共鳴板２に弦６（糸）を支持するブリッジ７又は駒８を備えており、この弦６をはじいいたり、こすったりすることで音を出す楽器である。
【００１６】
典型的には、かかる弦楽器Ｓとしては、アコースティックギター、クラシックギター、バイオリン、マンドリン、チェロ、ウクレレ、ビオラ、コントラバス、大正琴、三味線、蛇味線、びわ、などを想定するものである。
【００１７】
アコースティックギターなどの洋楽器にあっては、共鳴箱１においては弦６はブリッジ７を介して支持される。三味線、大正琴などの和楽器にあっては、共鳴箱１においては弦６は駒８を介して支持される。
【００１８】
そして、この実施の形態にかかる弦楽器Ｓにあっては、共鳴箱１にピックアップマイク３を備えており、共鳴板２に伝えられる弦６の振動を、ピックアップマイク３を介して電気的に出力させることができるようになっている。
【００１９】
また、かかる弦楽器Ｓは、共鳴箱１の内部に、支持体４と振動吸収体５とを有している。
【００２０】
支持体４は、細長く構成され、かつ、共鳴箱１の内部において両端部４ａ、４ａをそれぞれこの共鳴箱１の側板１ｂに固定させて配されている。
【００２１】
振動吸収体５は、この支持体４と共鳴板２との間に配されると共に、この支持体４の長さ方向に沿った向きにおいて長くなるように構成されている。
【００２２】
また、支持体４は、共鳴板２の内面に向けられた側に、一又は二以上の突部４ｂを有しており、この突部４ｂを振動吸収体５に接しさせるようにして振動吸収体５を共鳴板２の内面に押しつけさせている。
【００２３】
また、振動吸収体５は、その両端部５’、５’を、共鳴箱１の側板１ｂの内面に接しさせない長さに形成されている。
【００２４】
そして、この振動吸収体５の両端部５’、５’を共鳴箱１の側板１ｂの内面に接しさせないようにこの振動吸収体５を支持体４によって支持するようにしてある。
【００２５】
この結果、この実施の形態にかかる弦楽器Ｓにあっては、共鳴板２の振動を振動吸収体５によって適度に吸収、つまり、減衰させることができる。すなわち、振動吸収体５は、共鳴箱１の内部において、共鳴板２の内面の一部にのみ接する大きさを持つに過ぎないことから、共鳴板２の振動を適度に減衰させる。また、支持体４は共鳴箱１の側板１ｂにその端部４ａをもって固定されているが、振動吸収体５に対してはその突部４ｂをもって接しており、しかも、振動吸収体５の端部５’は共鳴箱１の側板１ｂの内面に接しないように支持されていることから、共鳴箱１の側板１ｂ側の振動は、支持体４と振動吸収体５とを介しては、共鳴板２にできる限りフィードバックされないようになっている。これによりピックアップマイク３を介して電気的に出力される音が必要以上に延びないようにすることができる。すなわち、かかるピックアップマイク３を介して電気的に出力される音を、その弦楽器Ｓから自然に生じる音、いわゆる生音（ピックアップマイク３を経ないで弦楽器Ｓの共鳴箱１から空気振動によって自然に伝わる音）にできる限り近づけることができる。つまり、アコースティックギターであればアコスティックギターＳ１本来の音を、三味線Ｓ２であれば三味線本来の音を、ピックアップマイク３を介して電気的に出力させることができる。
【００２６】
図１ないし図３は、この発明を、ギターＳ１に適用した例を示している。
【００２７】
図中符号１ａで示される表板と、図中符号１ｃで示される裏板と、側板１ｂとによって、ギターＳ１の共鳴箱１（ボディ）が形成されている。表板１ａが共鳴板２として機能する。この例にあっては、共鳴板２の内面にピックアップマイク３が備え付けられている。
【００２８】
この例にあっては、支持体４は、細長い棒状をなすように構成されている。この例にあっては、支持体４の両端部４ａ、４ａはそれぞれ、共鳴箱１の側板１ｂのうちギターＳ１の上下方向にある側板１ｂに形成されたはめ込み部にこの端部を入れ込ませるようにして固定されており、支持体４はギターの共鳴箱１の左右方向に長く延びるように配されている。支持体４の両端部４ａ、４ａ間には、共鳴板２の内面に向けて突き出す二カ所の突部４ｂ、４ｂが突部４ｂ間に間隔を開けて形成されている。この例では、この突部４ｂの突き出し端面４ｃは、共鳴板２の内面とほぼ平行をなす平坦な面となっている。そして、この例では、この支持体４の突部４ｂの突き出し端面４ｃと共鳴板２の内面との間の間隔が、振動吸収体５の厚さ寸法とほぼ等しくなるようにしてある。支持体４における突部４ｂの形成側と反対の側と共鳴箱１の裏板１ｃとの間には間隔が形成されている。
【００２９】
また、この例にあっては、振動吸収体５は、ギターの共鳴箱１の左右方向に長い細長い板状をなすように構成されている。また、振動吸収体５の長さ寸法は、支持体４の長さ寸法よりも短くなっている。そして、この例にあっては、振動吸収体５の上面を共鳴板２の内面に密着させ、かつ、この振動吸収体５の端部５’を共鳴箱１の側板１ｂの内面に接しさせないようにるようにした状態で、この振動吸収体５を支持体４の突部４ｂによって下方から支えるようにしてある。
【００３０】
また、この例にあっては、振動吸収体５は、
一面を共鳴板２の内面に接しさせたゴムやゴム状弾性を備えたプラスチック、フェルトなどの振動吸収材料よりなる板状振動吸収材５ａと、
この板状振動吸収材５ａの他面に一面を接しさせた補強板５ｂとから構成されている。
【００３１】
具体的には、この例にあっては、板状振動吸収材５ａと補強板５ｂとは、ほぼ同じ長さと幅とを備えた細長い板状をなすように構成されている。そして、補強板５ｂの上に板状振動吸収材５ａを重ねるようにして振動吸収体５を構成させている。板状振動吸収材５ａの他面と補強板５ｂの一面とは単に接しさせられていても接着などにより止め付け合わされていても構わない。そして、この例では、支持体４の突部４ｂの突き出し端面４ｃが、補強板５ｂの他面に下方から押し当てられるようになっており、これにより、板状振動吸収材５ａと補強板５ｂとからなる振動吸収体５が前記のように支持体４の突部４ｂによって下方から支えるようになっている。補強板５ｂとしては、木板、木質板、プラスチック板などを用いることができる。
【００３２】
これによりこの例にあっては、かかる補強板５ｂによってゴムやゴム状弾性を備えたプラスチック、フエルトなどの柔らかい材料から構成される板状振動吸収材５ａの一面を共鳴板２の内面にダレなく密着させることができるようになっている。
【００３３】
また、この例にあっては、支持体４の外面が、振動吸収材料４ｄによって覆われている。
【００３４】
具体的には、この例にあっては、支持体４の長さ方向に沿った外面のうち、支持体４の突部４ｂの突き出し端面４ｃを除く箇所をフェルト製の生地によって覆うようにしている。
【００３５】
これによりこの例にあっては、共鳴箱１の側板１ｂから支持体４に伝わる振動をこの支持体４を覆う振動吸収材料４ｄによって吸収して共鳴板２側にできる限りフィードバックされないようにすることができる。
【００３６】
図４ないし図６は、この発明を、三味線Ｓ２に適用した例を示している。
【００３７】
図中符号１ａで示される表板と、図中符号１ｃで示される裏板と、側板１ｂとによって、三味線Ｓ２の共鳴箱１（胴）が形成されている。表板１ａが共鳴板２として機能する。この例にあっては、共鳴板２の内面に二つのピックアップマイク３、３が備え付けられている。
【００３８】
この例にあっても、支持体４は、細長い棒状をなすように構成されている。この例にあっては、支持体４の両端部４ａ、４ａはそれぞれ、共鳴箱１の側板１ｂのうち三味線Ｓ２の上下方向にある側板１ｂに形成されたはめ込み穴にこの端部４ａを入れ込ませた状態で固定されており、支持体４は三味線の共鳴箱１の左右方向に長く延びるように配されている。支持体４の両端部４ａ、４ａ間には、共鳴板２の内面に向けて突き出す二カ所の突部４ｂ、４ｂが突部４ｂ間に間隔を開けて形成されている。この例では、この突部４ｂの突き出し端面４ｃは、共鳴板２の内面とほぼ平行をなす平坦な面となっている。そして、この例では、この支持体４の突部４ｂの突き出し端面４ｃと共鳴板２の内面との間の間隔が、振動吸収体５の厚さ寸法とほぼ等しくなるようにしてある。支持体４における突部４ｂの突き出し側と反対の側と共鳴箱１の裏板１ｃとの間には間隔が形成されている。
【００３９】
また、この例にあっては、振動吸収体５は、三味線の共鳴箱１の左右方向に長い細長い板状をなすように構成されている。また、振動吸収体５の長さ寸法は、支持体４の長さ寸法よりも短くなっている。そして、この例にあっては、振動吸収体５の上面を共鳴板２の内面に密着させ、かつ、この振動吸収体５の端部５’を共鳴箱１の側板１ｂの内面に接しさせないようにるようにした状態で、この振動吸収体５を支持体４の突部４ｂによって下方から支えるようにしてある。
【００４０】
また、この例にあっても、振動吸収体５は、
一面を共鳴板２の内面に接しさせたゴムやゴム状弾性を備えたプラスチック、フェルトなどの振動吸収材料よりなる板状振動吸収材５ａと、
この板状振動吸収材５ａの他面に一面を接しさせた補強板５ｂとから構成されている。
【００４１】
具体的には、この例にあっては、板状振動吸収材５ａと補強板５ｂとは、ほぼ同じ長さと幅とを備えた細長い板状をなすように構成されている。そして、補強板５ｂの上に板状振動吸収材５ａを重ねるようにして振動吸収体５を構成させている。板状振動吸収材５ａの他面と補強板５ｂの一面とは単に接しさせられていても接着などにより止め付け合わされていても構わない。そして、この例では、支持体４の突部４ｂの突き出し端面４ｃが、補強板５ｂの他面に下方から押し当てられるようになっており、これにより、板状振動吸収材５ａと補強板５ｂとからなる振動吸収体５が前記のように支持体４の突部４ｂによって下方から支えるようになっている。補強板５ｂとしては、木板、木質板、プラスチック板などを用いることができる。
【００４２】
これによりこの例にあっては、かかる補強板５ｂによってゴムやゴム状弾性を備えたプラスチック、フエルトなどの柔らかい材料から構成される板状振動吸収材５ａの一面を共鳴板２の内面にダレなく密着させることができるようになっている。
【００４３】
また、この例にあっては、支持体４の外面が、振動吸収材料４ｄによって覆われている。
【００４４】
具体的には、この例にあっては、支持体４の長さ方向に沿った外面のうち支持体４の突部４ｂの突き出し端面４ｃを除く箇所をフェルト製の生地によって覆うようにしている。
【００４５】
これによりこの例にあっては、共鳴箱１の側板１ｂから支持体４に伝わる振動をこの支持体４を覆う振動吸収材料４ｄによって吸収して共鳴板２側にできる限りフィードバックされないようにすることができる。
【図面の簡単な説明】
【００４６】
【図１】この発明を適用したギターＳ１の要部斜視図
【図２】図１におけるＡ−Ａ線断面図
【図３】図２におけるＢ−Ｂ線位置での共鳴箱１の断面図
【図４】この発明を適用した三味線Ｓ２の要部正面図
【図５】図４におけるＣ−Ｃ線断面図
【図６】図５におけるＤ−Ｄ線位置での共鳴箱１の断面図
【符号の説明】
【００４７】
Ｓ  弦楽器
１  共鳴箱
２  共鳴板
３  ピックアップマイク
４  支持体
４ａ  端部
４ｂ  突部
５  振動吸収体
５’  端部
【図１】
2005084257.tif 000003
【図２】
2005084257.tif 000004
【図３】
2005084257.tif 000005
【図４】
2005084257.tif 000006
【図５】
2005084257.tif 000007
【図６】
2005084257.tif 000008
【手続補正書】
【提出日】平成15年12月5日(2003.12.5)
【手続補正１】
【補正対象書類名】特許請求の範囲
【補正対象項目名】請求項１
【補正方法】変更
【補正の内容】
【請求項１】
共鳴箱にピックアップマイクを備えた弦楽器であって、
共鳴箱の内部においてこの共鳴箱の側板に固定されて配される支持体と、
この支持体と共鳴箱の表板となる共鳴板との間に配されると共に、共鳴板の内面の一部にのみ接する大きさを持った振動吸収体とを有していると共に、
支持体は、共鳴板の内面に向けられた側に、一又は二以上の突部を有しており、この突部を振動吸収体に接しさせるようにして振動吸収体を共鳴板の内面に押しつけさせており、
しかも、振動吸収体を共鳴箱の側板の内面に接しさせないようにこの振動吸収体を支持体によって支持するようにしてあることを特徴とする弦楽器。
【手続補正２】
【補正対象書類名】明細書
【補正対象項目名】０００６
【補正方法】変更
【補正の内容】
【０００６】
前記問題点を解決するために、この発明にあっては弦楽器を以下の（１）〜（５）の構成を備えたものとした。
（１）共鳴箱にピックアップマイクを備えた弦楽器であって、
（２）共鳴箱の内部においてこの共鳴箱の側板に固定されて配される支持体と、
（３）この支持体と共鳴箱の表板となる共鳴板との間に配されると共に、共鳴板の内面の一部にのみ接する大きさを持った振動吸収体とを有していると共に、
（４）支持体は、共鳴板の内面に向けられた側に、一又は二以上の突部を有しており、この突部を振動吸収体に接しさせるようにして振動吸収体を共鳴板の内面に押しつけさせており、
（５）しかも、振動吸収体を共鳴箱の側板の内面に接しさせないようにこの振動吸収体を支持体によって支持するようにしてある。